(57)【要約】【課題】折り畳んだ状態で全体の厚みを薄くすると同時に軽量化することができ、バッグ等に入れた持ち歩きに有利となるだけでなく、高級感のある三面コンパクトミラーを提供する。【解決手段】アルミニウム板を用いた中間プレート２の一方側縁に側部プレート３と他方側縁に蓋プレート４を、折り畳みが可能となるようヒンジ機構５を用いて接続し、上記蓋プレート４の端縁部にこの蓋プレート４を側部プレート３上に対して折り畳んだ状態で、中間プレート２と側部プレート３を接続するヒンジ機構５に係合して折り畳み状態を保持する係止片８を設け、上記中間プレート２と側部プレート３及び蓋プレート４の折り畳み側の面にそれぞれ鏡６が取り付けてある。【選択図】　図１
0003097659.tif 000002
【実用新案登録請求の範囲】
【請求項１】
アルミニウム板を用いた中間プレートの一方側縁に側部プレートと他方側縁に蓋プレートを、中間プレートに側部プレートが重なり、この側部プレート上に蓋プレートが重なる折り畳みが可能となるようヒンジ機構を用いて接続し、上記蓋プレートの端縁部にこの蓋プレートを側部プレート上に対して折り畳んだ状態で、中間プレートと側部プレートを接続するヒンジ機構に係合して折り畳み状態を保持する係止片を設け、上記中間プレートと側部プレート及び蓋プレートの折り畳み側の面に、それぞれ鏡を取り付けた三面コンパクトミラー。
【請求項２】
上記中間プレートと側部プレート及び蓋プレートは、厚みが０．５ｍｍのアルミニウム板を用い、中間プレートは、矩形状板の上下縁に鏡の取付け面側に鏡の板厚に見合う高さで突出する折り返し壁と、両側の側縁にヒンジ機構を形成するための複数に分断された筒体を一体に設けて形成され、側部プレートと蓋プレートは、それぞれ矩形状板の上下縁及び一方の側縁に鏡の取付け面側に鏡の板厚に見合う高さで突出する折り返し壁と、他方の側縁にヒンジ機構を形成するための複数に分断された筒体を一体に設けて形成され、この蓋プレートは一方の側縁に設けた折り返し壁に係止片が連成され、上記中間プレートと側部プレート及び蓋プレートが、互いに嵌め合わせた筒体を軸で結合することにより、折り畳み可能に連結されている請求項１に記載の三面コンパクトミラー。
【考案の詳細な説明】
【０００１】
【考案の属する技術分野】
この考案は、折り畳み状態で全体が極めて薄くなり、しかも、軽量で持ち運びに便利で高級感のある三面コンパクトミラーに関する。
【０００２】
【従来の技術】
一般に女性は、化粧をする関係から鏡付きのコンパクトをバッグ等に入れて持ち歩いているが、単に化粧するだけでなく身だしなみを確認するためには、三枚の鏡を折り畳み可能にして三面鏡のように使用する三面コンパクトミラーが有効である。
【０００３】
従来の三面コンパクトミラーは、合成樹脂を用いた中間プレートの一方側縁に側部プレートと他方側縁に蓋プレートを、中間プレートに側部プレートが重なり、この側部プレート上に蓋プレートが重なる折り畳みが可能となるようヒンジ機構を用いて接続し、上記中間プレートと側部プレート及び蓋プレートの折り畳み側の面に、それぞれ鏡を取り付けた構造になっている。
【０００４】
【考案が解決しようとする課題】
ところで、合成樹脂製の三面コンパクトミラーは、強度確保の点から中間プレートと側部プレート及び蓋プレートの板厚をどうしても厚くする必要があり、このため、三面コンパクトミラーを折り畳んだときの全体の厚みが分厚くなり、バッグ等に入れた場合に嵩だかくなってスペースを取るという不都合がある。
【０００５】
また、板厚が厚いと全体の重量が重くなり、持ち歩きに不便であると共に、合成樹脂を用いて形成された三面コンパクトミラーは、外観がどうしても安っぽく、見るからに高級感に乏しいものである。
【０００６】
そこで、この考案の課題は、折り畳んだ状態で全体の厚みを薄くすると同時に軽量化することができ、バッグ等に入れた持ち歩きに有利となるだけでなく、高級感のある三面コンパクトミラーを提供することにある。
【０００７】
【課題を解決するための手段】
上記のような課題を解決するため、この考案は、アルミニウム板を用いた中間プレートの一方側縁に側部プレートと他方側縁に蓋プレートを、中間プレートに側部プレートが重なり、この側部プレート上に蓋プレートが重なる折り畳みが可能となるようヒンジ機構を用いて接続し、上記蓋プレートの端縁部にこの蓋プレートを側部プレート上に対して折り畳んだ状態で、中間プレートと側部プレートを接続するヒンジ機構に係合して折り畳み状態を保持する係止片を設け、上記中間プレートと側部プレート及び蓋プレートの折り畳み側の面に、それぞれ鏡を取り付けた構成を採用したものである。
【０００８】
上記中間プレートと側部プレート及び蓋プレートは、厚みが０．５ｍｍのアルミニウム板を用い、中間プレートは、矩形状板の上下縁に鏡の取付け面側に鏡の板厚に見合う高さで突出する折り返し壁と、両側の側縁にヒンジ機構を形成するための複数に分断された筒体を一体に設けて形成され、側部プレートと蓋プレートは、それぞれ矩形状板の上下縁及び一方の側縁に鏡の取付け面側に鏡の板厚に見合う高さで突出する折り返し壁と、他方の側縁にヒンジ機構を形成するための複数に分断された筒体を一体に設けて形成され、この蓋プレートは一方の側縁に設けた折り返し壁に係止片が連成され、上記中間プレートと側部プレート及び蓋プレートが、互いに嵌め合わせた筒体を軸で結合することにより、折り畳み可能に連結されている構造とすることができる。
【０００９】
ここで、鏡は１．３ｍｍ厚のガラス製であり、中間プレートと側部プレート及び蓋プレートのそれぞれに適合する大きさに形成され、両面粘着テープを用いて固定されている。
【００１０】
【考案の実施の形態】
以下、この考案の実施の形態を添付図面に基づいて説明する。
【００１１】
図示のように、三面コンパクトミラー１は、アルミニウム板を用いた中間プレート２の一方側縁に側部プレート３と他方側縁に蓋プレート４をそれぞれヒンジ機構５で折り畳み可能に接続し、上記中間プレート２と側部プレート３及び蓋プレート４の折り畳み面側にガラス製の鏡６を両面粘着テープ７で取り付け、上記蓋プレート４の端縁部にこの蓋プレート４を側部プレート３上に対して折り畳んだ状態で、中間プレート２と側部プレート３を接続するヒンジ機構５に外嵌係合して折り畳み状態を保持する係止片８を設けた構造になっている。
【００１２】
上記中間プレート２と側部プレート３及び蓋プレート４は、外面を表面処理仕上げした厚みが０．５ｍｍのアルミニウム板を用い、中間プレート２は、矩形状アルミニウム板の上下縁に鏡６の取付け面側に鏡６の板厚に見合う高さで突出する折り返し壁９と、両側の側縁にヒンジ機構５を形成するための上下複数に分断された筒体１０を一体に設けて形成されている。
【００１３】
また、側部プレート３と蓋プレート４は、それぞれ矩形状アルミニウム板の上下縁及び一方の側縁に鏡６の取付け面側に鏡６の板厚に見合う高さで突出する折り返し壁９と、他方の側縁にヒンジ機構５を形成するための上下複数に分断された筒体１０を一体に設けて形成され、この蓋プレート４は一方の側縁に設けた折り返し壁９に係止片８が連成されている。
【００１４】
上記中間プレート２と側部プレート３及び蓋プレート４のヒンジ機構５による接続は、互いに嵌め合わせた筒体１０を、その内部に挿通した軸１１で互いに結合することにより、全体を一枚のように展開した状態から、中間プレート２の鏡６を設けた面に側部プレート３が重なり、この側部プレート３上に蓋プレート４が重なる折り畳みが可能となるよう連結されている。
【００１５】
ちなみに、中間プレート２と側部プレート３及び蓋プレート４は、高さが８０ｍｍ程度、中間プレート２と蓋プレート４の幅が１００ｍｍ程度、側部プレート３の幅はヒンジ機構５を逃がすためにこれよりも少し短くなっている。
【００１６】
上記中間プレート２と側部プレート３及び蓋プレート４の厚みは、例えば０．５ｍｍ厚のアルミニウム板と１．３ｍｍ厚の鏡６及び両面粘着テープ７の厚みの合計となり、中間プレート２と側部プレート３及び蓋プレート４を折り畳んで重ねた時の全体の厚みは６ｍｍ程度と極めて薄くなる。
【００１７】
この考案の三面コンパクトミラー１は、上記のような構成であり、使用時には図１（Ａ）と図２のように、中間プレート２に対して側部プレート３と蓋プレート４を両側に開き、三面の鏡６を用いて化粧したり身だしなみを確認するものであり、この三面コンパクトミラー１は、中間プレート２と側部プレート３及び蓋プレート４を展開させて全体を一枚の長い鏡としたり、図示のように、中間プレート２の両側に側部プレート３と蓋プレート４を折り曲げた状態の三面鏡にして使用することができる。
【００１８】
また、三面コンパクトミラー１を使用しない時は、先ず、中間プレート２の鏡６を取り付けた面に側部プレート３を回動させて重ね、次に、側部プレート３上に蓋プレート４を折り畳んで重ね、この蓋プレート４に設けた係止片８を中間プレート２と側部プレート３を接続するヒンジ機構５の外面に対して押し込み、このヒンジ機構５へ弾力的に外嵌係合させれば、図３のように、中間プレート２と側部プレート３及び蓋プレート４が互いに重なる偏平な折り畳み状態が保持される。
【００１９】
【考案の効果】
以上のように、この考案によると、中間プレートの一方側縁に側部プレートと他方側縁に蓋プレートをヒンジ機構を用いて接続し、上記蓋プレートの端縁部に折り畳み状態を保持する係止片を設け、上記中間プレートと側部プレート及び蓋プレートの折り畳み側の面にそれぞれ鏡を取り付け、この中間プレートと側部プレート及び蓋プレートをアルミニウム板を用いて形成したので、アルミニウム板の採用により強度が確保できるので、中間プレートと側部プレート及び蓋プレートの厚みを薄く形成でき、これにより、三面コンパクトミラーは、折り畳んだ状態で全体の厚みが薄くなると同時に、薄いアルミニウム板を用いることにより重量的にも軽くなり、バッグ等に入れた持ち歩きに有利となる。
【００２０】
また、中間プレートと側部プレート及び蓋プレートをアルミニウム板を用いて形成したので、外表面に表面処理仕上げを施すことにより、高級感のある三面コンパクトミラーとなる。
【図面の簡単な説明】
【図１】（Ａ）はこの考案に係る三面コンパクトミラーの展開した状態を示す斜視図、（Ｂ）は（Ａ）の矢印ｂ−ｂに沿う拡大断面図
【図２】この考案に係る三面コンパクトミラーの展開した状態を示す平面図
【図３】この考案に係る三面コンパクトミラーの折り畳んだ状態を示す正面図
【符号の説明】
１　　三面コンパクトミラー
２　　中間プレート
３　　側部プレート
４　　蓋プレート
５　　ヒンジ機構
６　　鏡
７　　両面粘着テープ
８　　係止片
９　　折り返し壁
１０　筒体
１１　軸
【図１】
0003097659.tif 000003
【図２】
0003097659.tif 000004
【図３】
0003097659.tif 000005